(57)【特許請求の範囲】
【請求項１】
下部の架台と上部の開閉式出入り可能な囲いおよび設置地盤と架台との間における昇降を可能とする登降手段とを有するとともに、これら架台と囲いおよび登降手段が分解組立可能とされ、前記架台には、排泄物通口が開けられた踏板が設けられるとともに、同排泄物通口より下方には、排泄物容器を出し入れ交換可能な受台が設けられている仮設トイレ設備において、前記登降手段は、上端を架台に結合し下端を設置基盤上とした複数段型の斜め階段とされるとともに、同登降手段の側部上下には、左右一対ずつでなり下側のものが上側のものよりも高くされた側柱がそれぞれ立設され、これら上側と下側の側柱間には、手摺が連結されるとともに、下側の側柱間には、ヒンジ回りに開閉自在に取り付けられたドアが設けられ、このドアは、ドアを開け登降手段上に入った位置においてドアを閉じた状態にロックあるいはその解除が可能な内ロックを装備するとともに、下側の側柱からは手摺に平行状に伸びて前記内ロックを外側方から覆って外部からの内ロックのロック解除操作を遮断するロック安心カバーが設けられていることを特徴とする仮設トイレ設備。
【発明の詳細な説明】
【技術分野】
【０００１】  本発明は、仮設トイレ設備に関する。
【背景技術】
【０００２】  例えば、大地震や津波、洪水などの非常事態が発生した際には、緊急にトイレが必要になるが、そうした場合には、トイレの数が限定される一方において多くの人が殺到し、さらに水不足が重なって、排泄物が多量に嵩みトイレが機能しなくなることが多々ある。
【発明の概要】
【発明が解決しようとする課題】
【０００３】  その緊急対策として、マンホールを利用してトイレ代わりにするものはあるが、こうしたものは重いマンホールを運ばなければならずしかもマンホールが排泄物で嵩盛りになれば使えなくなるなど現実的でない。【０００４】  本発明は、このような従来なされていた対策例のもつ問題を解決しようとするものであり、簡略構造であるから非常事態地域に持ち込むのが至便であるとともに発生しがちな水不足状況下でも排泄物の嵩盛りがなくて仮設トイレとしての機能を有効に発揮できるようにした極く簡易で安価な仮設トイレ設備を提供することを目的とする。
【課題を解決するための手段】
【０００５】本発明は上記目的を達成するため、請求項１に記載の発明は、下部の架台と上部の開閉式出入り可能な囲いおよび設置地盤と架台との間における昇降を可能とする登降手段とを有するとともに、これら架台と囲いおよび登降手段が分解組立可能とされ、前記架台には、排泄物通口が開けられた踏板が設けられるとともに、同排泄物通口より下方には、排泄物容器を出し入れ交換可能な受台が設けられている仮設トイレ設備において、前記登降手段は、上端を架台に結合し下端を設置基盤上とした複数段型の斜め階段とされるとともに、同登降手段の側部上下には、左右一対ずつでなり下側のものが上側のものよりも高くされた側柱がそれぞれ立設され、これら上側と下側の側柱間には、手摺が連結されるとともに、下側の側柱間には、ヒンジ回りに開閉自在に取り付けられたドアが設けられ、このドアは、ドアを開け登降手段上に入った位置においてドアを閉じた状態にロックあるいはその解除が可能な内ロックを装備するとともに、下側の側柱からは手摺に平行状に伸びて前記内ロックを外側方から覆って外部からの内ロックのロック解除操作を遮断するロック安心カバーが設けられていることを特徴とする。
【発明の効果】
【０００６】上述したように本発明は、下部の架台と上部の開閉式出入り可能な囲いおよび設置地盤と架台との間における昇降を可能とする登降手段とを有するとともに、これら架台と囲いおよび登降手段が分解組立可能とされ、前記架台には、排泄物通口が開けられた踏板が設けられるとともに、同排泄物通口より下方には、排泄物容器を出し入れ交換可能な受台が設けられている仮設トイレ設備において、前記登降手段は、上端を架台に結合し下端を設置基盤上とした複数段型の斜め階段とされるとともに、同登降手段の側部上下には、左右一対ずつでなり下側のものが上側のものよりも高くされた側柱がそれぞれ立設され、これら上側と下側の側柱間には、手摺が連結されるとともに、下側の側柱間には、ヒンジ回りに開閉自在に取り付けられたドアが設けられ、このドアは、ドアを開け登降手段上に入った位置においてドアを閉じた状態にロックあるいはその解除が可能な内ロックを装備するとともに、下側の側柱からは手摺に平行状に伸びて前記内ロックを外側方から覆って外部からの内ロックのロック解除操作を遮断するロック安心カバーが設けられていることを特徴とするので、簡略構造であるから非常事態地域に持ち込むのが至便であるとともに発生しがちな水不足状況下でも排泄物の嵩盛りがなくて仮設トイレとしての機能を有効に発揮できるようにした極く簡易で安価な仮設トイレ設備を提供することができる。
【図面の簡単な説明】
【０００７】
【図１】  本発明の一実施形態を示す図２のＩ−Ｉ線横断面図。
【図２】  図１の縦断面図。
【図３】  図２のＩＩＩ−ＩＩＩ線に沿う設備縦断面図。
【図４】  他の実施形態を示す側面図。
【図５】  他の実施形態を示す要部側面図。
【図６】  他の実施形態を示す要部側面図。
【図７】  他の実施形態を示す縦断模式図。
【発明を実施するための形態】
【０００８】  以下、本発明の一実施形態を図１ないし図３に基づいて説明する。
各実施形態で説明する案例は他の実施形態においても適用することができる。
図１および図２の右側、図３の手前側をそれぞれ前側とする。これらの図において１は設置地盤、２は下部の架台で、架台１は、現場組立式で、４本の脚３…を備える。
【０００９】  脚３は、金属あるいは木質など（以下の部材の材質も同様に特定しない）でなり、アングル状の横断面をしたもので、その溝を内向きにして四隅に配置してある。この脚３の上端には受座３ａが一体に形成され、その面には複数のボルト通孔が明けられている。
【００１０】  尚、脚３には、アングル型をしたアジャスタ４が長孔と止着具あるいは昇降ネジなどで上下調節可能に取り付けられ、これによって、設置地盤１が不陸であっても高さ調節ができしかも架台上面を安定な水平状態にすることができるようになっている。
【００１１】  架台１の上面は広い矩形をした踏板５とされ、この踏板５は前後に少し長目の板とされるとともに、その中央には前後に長く矩形をした排泄物通口６が開けられ、その連通口６の前側には金隠し７が立ち上がり状に設けられている。
尚、排泄物通口６の後寄りの縁部には、取っ手８を備えた交換エッジ９が脱着自在に取付けられ、このエッジ９は、排泄物などで汚された際に容易に交換あるいは清掃できるようになっている。
【００１２】  架台２の左右と前側には、脚３の中段にあるように脱着自在な横連結材１０が取り付けられている。それらのうち左右の横連結材１０，１０間には、アングル型をしストッパ機能ももつ横渡し材１１が横架されており、この横渡し材１１と前側の横連結材１０との上面には、排泄物容器１２の転輪１３を案内するための受台１４が左右一対のアングル材として固定されている。
【００１３】  排泄物容器１２は前後にやや長めで上方を開口した樹脂ケースでなり、排泄物通口６の長手向きと同じく前後にその長手を向けている。図２の矢印Ｘの大便落下方向と矢印Ｙの小便放出方向の２方向性を考慮したものである。そして、容器１２は、前後に把持部１５を備えて矢印Ａのように出し入れ自在になっているとともに、差し入れた際には、横渡し材１１に当って留まるようになっている。
【００１４】  受台１４には、転輪１３を少しだけ落とし込むような凹部を設けて容器１２を図２の状態に位置決めするようにしてもよい。尚、１６は補強部材であり、脱着自在で脚３と踏板５との間に取り付けられている。
【００１５】  上部には、踏板５の４つのコーナー上を介してポール１８が立てられ、それらを上つなぎ材１９で連結するとともに補強板２０で強固な囲いフレーム２１が形成されている。これら各部材は分解組立可能になっている。このフレーム２１には囲い２２が被せられている。囲い２２は、薄い樹脂シートなどで底開放状の５面シートからなり、その下縁部がアンカー２３…などによって架台２へ脱着可能とされている。
【００１６】  この囲い２２の後面には、図３のように、出入口２４が開けられるとともに、開閉自在な遮蔽カバー２５が垂れ下がっている。このカバー２５は、めくり開けられる簡易なタイプであるが、風や雨などに対処するため、ファスナーや面ファスナーなどで閉止状態が確実に得られるようにしてもよい。
【００１７】  尚、囲い２２内には、簡易手水洗いや臭いを抜き出すための臭突を設けたり、昼の採光のため上面一部を透明部分にしてもよい。夜間使用のための採光手段はバッテリー式などとして必須とする。
【００１８】  ２８は斜め階段である登降手段であり、設置地盤１を下端とし上端は架台２の踏板５に結合してある。２９は側柱で、登降手段２８の側部上下から立設され、手摺３０によりそれらを連結してある。手摺３０は上下数段に設けて勝手に入れないようにしてもよい。側柱２９のうち下側のそれはやや高く立設されており、これらを介してヒンジ３１回りに開閉自在なドア３２を取り付けてある。
【００１９】  このドア３２は、次の人が勝手にトイレに入って来ないように、内ロック３３を備えている。この内ロック３３は、ドア３２側に一端を取り付けたリンクチェーンの先に掛け留め具を設け、この留め具を手摺３０側に掛け付けることによってドア３２が外部から開かないようにする。その場合、側方から手を延ばせば掛け止めを外すことができるが、それを防止するため、内ロック３３の側方であるドア３２一側端にロック安心カバー３５を取り付けてある。
【００２０】  用を足したい人は、ドア３２を開けて図２のように登降手段２８より登り、遮蔽カバー２５を開けて出入り口２４より仮設トイレ設備内に入る。そのとき内ロック３３を掛けておけば次の人が入ってくるおそれがない。用を足して排泄物容器１２内が嵩盛り状態になったとすると、把持部１５をもって同容器１２を引き出し、新しい容器１２と交換しておく。引き出した容器１２は、蓋で密閉しておくこともでき、また重ね置きしておいて一括管理・処理することもできる。
【００２３】  尚、排泄物容器１２は、図１の矢印Ｂのように、左右方向に出し入れ可能とすることもできる。
また、前記実施形態では架台２回りは開放状としてあるが、上段と同じく囲いを付してもよい。この場合、内部には臭い消しや分解バイオを設けることができる。
さらに、架台２は防振ゴムを設けて余震などの対策にしてもよい。
また、設備は近隣の建屋に連結して安定化を図るようにしてもよい。
さらに、前記設備は１ユニットを示したが、左右に数列配備してもよい。
【００２４】  また、下部の架台２や上部の囲いフレーム２１さらに登降手段２８などの設備は、図４に示すように、ローリングタワー構築に使用されるような仮設足場機材を立体組みにしたもので構成することもできる。この例の場合、Ｈ型建枠３７を４面に使用して強度の必要な部分にはブレス３８などを追加するとともに、同図右欄に右矢視図を示すように、足場機材の１つである踏板３９，３９の一対（安全性を考慮してさらに多くの枚数を使用してもよい）を排泄物通口４０を形成するように左右に間隔を置いて配備して対処する。
【００２５】  踏板３９はフック付きであるので、そのフックをＨ型建枠３７の中段桟３７ａに掛け付けることにより安定してセットできる。その踏板３９上に載って用を足すことになる。Ｈ型建枠３７の上端には上つなぎ材４１を嵌め付けて上周りを形成しておく。４２は受台で、Ｈ型建枠３７の下部上段にやや幅狭な間隔をもって前後に向いて渡架されている。その受台４２も上つなぎ材４１のように挿し込み式あるいはフック掛け式にセットする。踏板３９を利用してもよい。
【００２６】  その受台４２上を利用して排泄物容器４３を前後出し入れ自在にセットする。勿論、同容器４３は左右出し入れ自在にしてもよい。さらに、建枠３７の下端には、ジャッキベース４４を差し込んで高さ調節可能とする。そして、Ｈ型建枠３７などで構築される上部の囲いフレーム２１や下部の架台２には適宜囲い４５，４６を被せ、必要により開閉自在な出入り口や容器の出し入れ口などを付して対処する。
【００２７】  また、踏板３９上に昇り降りするためのアルミ階段４７をフック掛けして装備することにより対処する。次の人の進入をなくすための手段は、例えば、鳥居型建枠や簡易型建枠などを支持フレーム４８としてそれにドア４９を開閉自在に装備することで対処する。前記ドア用のロック安心カバー３５や内ロック３３なども必要により付加構成することができる。
【００２８】  前記実施形態では１列のみ例示するが、紙面に直交する方向に数列連続して配備することができる。その場合、仮設足場機材の各種建枠などによれば連続配備が容易に可能になるし、運搬も軽量コンパクトで簡便である。
前記建枠などは一例を示したもので他の仮設足場機材に代えて構成することができることは勿論である。
【００２９】  図５は前記各実施形態における踏板５２上に着座ボックス５３を設置して排泄物通口に連通させて座っても用を足すことができるようにしたものである。
また、図６は前記各実施形態における踏板５５上に簡易トイレ設備ユニット５６をセットしたもので、それを排泄物通口に連通状にしてものである。
図７は既設の下水用配管５７を利用して同配管５７の長手一部に開口５８を形成するとともにそれに連通するように連通カバー５９を取り付けて蓋６０を付すことにより取っ手６１により蓋６０を開けて用を足すことができるようにしたものである。勿論、囲い手段は必要であるが図示は省略されている。
【符号の説明】
【００３０】  ２…架台  ６…排泄物通口  １２…排泄物容器  １４…受台  ２２…囲い  ２８…登降手段。
【図１】
0005838460.tif 000002
【図２】
0005838460.tif 000003
【図３】
0005838460.tif 000004
【図４】
0005838460.tif 000005
【図５】
0005838460.tif 000006
【図６】
0005838460.tif 000007
【図７】
0005838460.tif 000008